(57)【特許請求の範囲】
【請求項１】
カラオケ装置を少なくとも含むカラオケシステムと、携帯型情報処理装置及び複数のカラオケ装置と通信回線を介して通信可能なホスト装置と、を有するカラオケ管理システムであって、
カラオケシステムは、
カラオケ装置に対応する認証情報を含んだ音響信号をスピーカから出力させる音響信号出力処理を実行可能とし、
携帯型情報処理装置は、
カラオケシステムから出力された音響信号をマイクロホンで受信し、受信した音響信号に含まれる認証情報を取得する取得処理と、
取得処理で取得した認証情報と、入力部から入力されたコマンドをホスト装置に送信可能とし、
ホスト装置は、
カラオケ装置の識別情報に対応付けた認証情報を生成し、カラオケ装置に送信する認証情報生成処理と、
携帯型情報処理装置から受信した認証情報に基づいてカラオケ装置を特定し、携帯型情報処理装置から受信したコマンドを、特定したカラオケ装置に転送する転送処理を実行可能とする
カラオケ管理システム。
【請求項２】
ホスト装置は、
携帯型情報処理装置から認証情報を受信した場合、受信した認証情報に基づいてカラオケ装置の識別情報を特定し、特定したカラオケ装置の識別情報とユーザ識別情報を対応付け、携帯型情報処理装置に対応付けたユーザ識別情報を送信し、
携帯情報処理装置からユーザ識別情報とコマンドを含んだ送信コマンド情報を受信した場合、ユーザ識別情報に対応するカラオケ装置にコマンドを転送する転送処理を実行し、
携帯型情報処理装置は、
入力部から入力されたコマンドと、受信したユーザ識別情報を含んだ送信コマンド情報をホスト装置に送信する
請求項１に記載のカラオケ管理システム。
【請求項３】
携帯型情報処理装置は、
入力部から入力されたコマンドと、取得処理で取得した認証情報を含んだ送信コマンド情報をホスト装置に送信する
請求項１に記載のカラオケ管理システム。
【請求項４】
カラオケシステムは、カラオケ装置に対応付けられたリモコン装置を含み、
音響信号出力処理は、カラオケ装置もしくはリモコン装置において実行される
請求項１から請求項３の何れか１項に記載のカラオケ管理システム。
【請求項５】
ホスト装置は、
携帯型情報処理装置から受信した認証情報に基づいてカラオケ装置を特定できない場合、携帯型情報処理装置に転送エラー情報を送信する
請求項１から請求項４の何れか１項に記載のカラオケ管理システム。
【請求項６】
ホスト装置は、カラオケ装置から初期化要求を受信した場合、カラオケ装置に対応する認証情報を削除、もしくは、更新する
請求項１から請求項５の何れか１項に記載のカラオケ管理システム。
【請求項７】
音響信号出力処理は、カラオケシステムにおいてユーザをログインさせるログイン処理の実行を契機として、音響信号をスピーカから出力させる
請求項１から請求項６の何れか１項に記載のカラオケ管理システム。
【請求項８】
携帯型情報処理装置から受信した認証情報に基づいてカラオケ装置を特定し、携帯型情報処理装置とカラオケ装置を対応付けるホスト装置と通信回線を介して通信可能な携帯型情報処理装置であって、
ホスト装置においてカラオケ装置に対応付けて生成された認証情報を含んだ音響信号をマイクロホンで受信し、受信した音響信号に含まれる認証情報を取得する取得処理と、
取得処理で取得した認証情報と、入力部から入力されたコマンドをホスト装置に送信する送信処理と、を実行可能とする
携帯型情報処理装置。
【請求項９】
取得処理で取得した認証情報を含む音響信号をスピーカから出力させる従音響信号出力処理を実行可能とする
請求項８に記載の携帯型情報処理装置。
【請求項１０】
携帯型情報処理装置から受信した認証情報に基づいてカラオケ装置を特定し、携帯型情報処理装置とカラオケ装置を対応付けるホスト装置と通信回線を介して通信可能な携帯型情報処理装置において実行可能なプログラムであって、
カラオケシステムから出力された音響信号をマイクロホンで受信し、受信した音響信号に含まれる認証情報を取得する取得処理と、
取得処理で取得した認証情報と、入力部から入力されたコマンドをホスト装置に送信する送信処理と、を携帯型情報処理装置に実行させることを特徴とする
プログラム。
【請求項１１】
取得処理で取得した認証情報を含む音響信号をスピーカから出力させる従音響信号出力処理を実行可能とする
請求項１０に記載のプログラム。
【発明の詳細な説明】
【技術分野】
【０００１】
本発明は、歌唱を楽しむためのカラオケ装置、及び、カラオケ装置とネットワークで接続されたホスト装置を含むカラオケシステム、及び、携帯型情報処理装置にて実行可能なプログラムに関する。
【背景技術】
【０００２】
伴奏に合わせて歌唱を楽しむカラオケは、カラオケボックスやスナック等のナイト店において広く楽しまれている。従来、カラオケを行うためのカラオケ装置は、専用のリモコン装置を操作することで、楽曲の予約等、各種操作を行うことが可能であった。近年、スマートフォン等、個人が所有する携帯型情報処理装置の高機能化に伴い、携帯型情報処理装置をカラオケ装置のリモコンとして使用することが行われている。携帯型情報処理装置をカラオケ装置のリモコンとして使用するには、携帯型情報処理装置から発信されたコマンドを、操作対象となるカラオケ装置に送信する必要があり、事前に携帯型情報処理装置と操作対象となるカラオケ装置を対応付けなければならない。
【０００３】
特許文献１には、カラオケ装置の利用権限があることを示す権限情報であり、予め定められた時間間隔で変化する権限情報を、カラオケ装置または選曲装置のディスプレイに、文字や、バーコード、２次元コード、ウォーターマーク等の画像として表示することが開示されている。携帯情報処理装置は、ディスプレイに表示された権限情報を文字入力、あるいは、画像認識操作により取得し、サーバ装置に権限情報とカラオケ装置の識別情報を送信する。サーバ装置は、識別情報に対応するカラオケ装置の利用権限があると判定した場合、権限情報を送信した携帯型情報処理装置とカラオケ装置を対応付けることで、携帯型情報処理装置をリモコンとして使用可能としている。
【０００４】
また、特許文献２には、サーバ装置で期限データ及びカラオケ装置の識別情報を管理し、カラオケリモコン装置の表示部に２次元バーコード等で表示し、携帯型情報処理装置から携帯電話網及びインターネットを介してサーバ装置に選曲管理情報（期限データと識別情報）及び楽曲ＩＤを送信し、選曲管理情報に含まれる期限データを確認し、期限が終了していない場合のみに、受信した楽曲ＩＤをカラオケ装置に転送するという技術が開示されている。
【先行技術文献】
【特許文献】
【０００５】
【特許文献１】特開２０１３−０３７１４８号公報
【特許文献２】特開２０１２−２１２０１６号公報
【発明の概要】
【発明が解決しようとする課題】
【０００６】
特許文献１、特許文献２に開示される従来技術では、ディスプレイに表示された権限情報をユーザが目視して、携帯型情報処理装置から文字や数字を入力したり、わざわざカメラアプリを起動してバーコードを読み込んだりと、ユーザが権限情報を取得する際の手間がかかり、携帯型情報処理装置を利用したカラオケ装置への予約サービスの利用者が伸び悩むという課題があった。
【０００７】
本発明はこのような課題に基づくものであり、簡単な操作でユーザが所持する携帯型情報処理装置をカラオケ装置のリモコン装置として使用可能とすることを目的としている。
【課題を解決するための手段】
【０００８】
そのため、本発明に係るカラオケ管理システムは以下の構成を採用するものである。
カラオケ装置を少なくとも含むカラオケシステムと、携帯型情報処理装置及び複数のカラオケ装置と通信回線を介して通信可能なホスト装置と、を有するカラオケ管理システムであって、
カラオケシステムは、
カラオケ装置に対応する認証情報を含んだ音響信号をスピーカから出力させる音響信号出力処理を実行可能とし、
携帯型情報処理装置は、
カラオケシステムから出力された音響信号をマイクロホンで受信し、受信した音響信号に含まれる認証情報を取得する取得処理と、
取得処理で取得した認証情報と、入力部から入力されたコマンドをホスト装置に送信可能とし、
ホスト装置は、
カラオケ装置の識別情報に対応付けた認証情報を生成し、カラオケ装置に送信する認証情報生成処理と、
携帯型情報処理装置から受信した認証情報に基づいてカラオケ装置を特定し、携帯型情報処理装置から受信したコマンドを、特定したカラオケ装置に転送する転送処理を実行可能とする。
【０００９】
さらに本発明に係るカラオケ管理システムにおいて、
ホスト装置は、
携帯型情報処理装置から認証情報を受信した場合、受信した認証情報に基づいてカラオケ装置の識別情報を特定し、特定したカラオケ装置の識別情報とユーザ識別情報を対応付け、携帯型情報処理装置に対応付けたユーザ識別情報を送信し、
携帯情報処理装置からユーザ識別情報とコマンドを含んだ送信コマンド情報を受信した場合、ユーザ識別情報に対応するカラオケ装置にコマンドを転送する転送処理を実行し、
携帯型情報処理装置は、
入力部から入力されたコマンドと、受信したユーザ識別情報を含んだ送信コマンド情報をホスト装置に送信する。
【００１０】
さらに本発明に係るカラオケ管理システムにおいて、
携帯型情報処理装置は、
入力部から入力されたコマンドと、取得処理で取得した認証情報を含んだ送信コマンド情報をホスト装置に送信する。
【００１１】
さらに本発明に係るカラオケ管理システムにおいて、
カラオケシステムは、カラオケ装置に対応付けられたリモコン装置を含み、
音響信号出力処理は、カラオケ装置もしくはリモコン装置において実行される。
【００１２】
さらに本発明に係るカラオケ管理システムにおいて、
ホスト装置は、
携帯型情報処理装置から受信した認証情報に基づいてカラオケ装置を特定できない場合、携帯型情報処理装置に転送エラー情報を送信する。
【００１３】
さらに本発明に係るカラオケ管理システムにおいて、
ホスト装置は、カラオケ装置から初期化要求を受信した場合、カラオケ装置に対応する認証情報を削除、もしくは、更新する。
【００１４】
さらに本発明に係るカラオケ管理システムにおいて、
音響信号出力処理は、カラオケシステムにおいてユーザをログインさせるログイン処理の実行を契機として、音響信号をスピーカから出力させる。
【００１５】
また本発明に係る携帯型情報処理装置は、
携帯型情報処理装置から受信した認証情報に基づいてカラオケ装置を特定し、携帯型情報処理装置とカラオケ装置を対応付けるホスト装置と通信回線を介して通信可能な携帯型情報処理装置であって、
ホスト装置においてカラオケ装置に対応付けて生成された認証情報を含んだ音響信号をマイクロホンで受信し、受信した音響信号に含まれる認証情報を取得する取得処理と、
取得処理で取得した認証情報と、入力部から入力されたコマンドをホスト装置に送信する送信処理と、を実行可能とする。
【００１６】
さらに本発明に係る携帯型情報処理装置は、
取得処理で取得した認証情報を含む音響信号をスピーカから出力させる従音響信号出力処理を実行可能とする。
【００１７】
また本発明に係るプログラムは、
携帯型情報処理装置から受信した認証情報に基づいてカラオケ装置を特定し、携帯型情報処理装置とカラオケ装置を対応付けるホスト装置と通信回線を介して通信可能な携帯型情報処理装置において実行可能なプログラムであって、
カラオケシステムから出力された音響信号をマイクロホンで受信し、受信した音響信号に含まれる認証情報を取得する取得処理と、
取得処理で取得した認証情報と、入力部から入力されたコマンドをホスト装置に送信する送信処理と、を携帯型情報処理装置に実行させることを特徴とする。
【００１８】
さらに本発明に係るプログラムは、
取得処理で取得した認証情報を含む音響信号をスピーカから出力させる従音響信号出力処理を実行可能とする。
【発明の効果】
【００１９】
本発明に係るカラオケ管理システムによれば、ユーザの所持する携帯型情報処理装置にカラオケシステムから放音出力される音響信号を受波させることで、携帯型情報処理装置とカラオケ装置の対応付けを行い、ユーザの所持する携帯型情報処理装置をカラオケ装置のリモコンとして機能させることが可能となる。したがって、ユーザは簡単な操作、あるいは、携帯型情報処理装置でプログラムを実行するだけで、自己の所持する携帯型情報処理装置をカラオケ装置のリモコンとして使用することが可能となる。
【図面の簡単な説明】
【００２０】
【図１】カラオケシステムの構成を示す図
【図２】携帯端末の構成を示す図
【図３】リモコン装置のトップ画面を示す図
【図４】携帯端末に表示された楽曲確認画面を示す図
【図５】カラオケ管理システムにおける認証テーブル更新処理を示すフロー図
【図６】カラオケ管理システムにおける端末登録処理、転送処理等を示すフロー図
【図７】カラオケ管理システムにおけるリセット処理を示すフロー図
【図８】カラオケ管理システムにおける認証テーブル更新処理を示す模式図
【図９】カラオケ管理システムにおける端末登録処理を示す模式図（１）
【図１０】カラオケ管理システムにおける端末登録処理を示す模式図（２）
【図１１】カラオケ管理システムにおける転送処理を示す模式図
【図１２】カラオケ管理システムにおけるリセット処理を示す模式図
【図１３】カラオケ管理システムにおけるリセット処理後の様子を示す図
【図１４】他の実施形態のカラオケ管理システムの端末登録処理を示す模式図
【図１５】他の実施形態のカラオケ管理システムの端末登録処理を示す模式図
【発明を実施するための形態】
【００２１】
図１は、本発明の実施形態に係るカラオケシステムの構成を示す図である。本実施形態におけるカラオケシステムは、カラオケ装置２（コマンダ）と、リモコン装置１を含んで構成されている。カラオケ装置２とリモコン装置１は、ＬＡＮ１００及びアクセスポイント１１０を利用してネットワークを形成するように接続されている。
【００２２】
カラオケボックスなどの店舗に設置されるカラオケ装置２は、楽曲を演奏するための演奏手段として音響制御部２５を備えている。また、カラオケ装置２は、ユーザからの各種入力を受け付けるスイッチなどで構成されるカラオケ装置２側の入力手段としての操作部２１を備える。カラオケ装置２は、操作部２１からの入力を解釈して制御部３０に伝達する操作処理部２２を備える。また、カラオケ装置２は、各種情報を記憶するカラオケ装置側記憶手段としてのＨＤＤ３２（ハードディスク）を備える。カラオケ装置２は、ＬＡＮ１００に接続してネットワークに加入するためのカラオケ装置側通信手段としてのＬＡＮ通信部２４を備えている。
【００２３】
また、カラオケ装置２は、モニタ４１に対して歌詞映像、背景映像を表示させる映像再生手段を備える。この映像再生手段は、映像情報に基づいて映像を再生する映像再生部２９、再生する映像を一時的に蓄積するビデオＲＡＭ２８、再生された映像に対して歌詞テロップを重畳したり、映像効果を付与する映像制御部３１を備えている。
【００２４】
さらに、このカラオケ装置２では、外部に接続されたモニタ４１以外に、タッチパネルモニタ３３に対しても各種情報を表示することを可能としている。タッチパネルモニタ３３は映像制御部３１から入力された映像情報を表示する表示部３３ａと、タッチ入力された位置を操作処理部２２に出力するタッチパネル３３ｂが重畳されて構成されている。また、カラオケ装置２に対する各種操作は、カラオケ装置２のフロントパネル等に設けられた操作部２１を介して行うことも可能となっている。
【００２５】
本実施形態のタッチパネルモニタ３３は、リモコン装置１の操作手段であるタッチパネルモニタ１１と同様の操作手段として機能することも可能としている。ユーザはタッチパネルモニタ３３から楽曲を選択して、直接カラオケ装置２に予約をさせるなど、リモコン装置１と同等の操作手段として機能することが可能である。
【００２６】
さらに、カラオケ装置２は、各構成を統括して制御するための制御手段として、ＣＰＵにて構成される制御部３０、各種プログラムを実行するにあたって必要となる情報を一時記憶するためのメモリ２７を備えている。
【００２７】
このような構成にてカラオケ装置２は、各種処理を実行することとなるが、カラオケ装置２の主な機能として、指定処理、再生処理などを実行可能としている。指定処理は、ユーザからの指定に基づいて楽曲を指定、予約するための処理であってリモコン装置１と連携して実行される。リモコン装置１から送信された予約情報をメモリ２７に記憶する予約テーブルに登録する。再生処理は、予約された楽曲を再生させる処理であって、演奏処理と歌詞再生処理とが同期して実行される処理である。
【００２８】
演奏処理は、楽曲データに含まれる演奏データを音響制御部２５にて演奏させる処理である。音響制御部２５にて演奏された楽曲は、歌唱用マイク４４ａ、４４ｂから入力される歌唱音声と一緒にスピーカ４２から放音される。歌詞再生処理は、楽曲データに含まれる歌詞データをモニタ４１に表示させることで歌唱補助を行う処理である。この歌詞再生処理で表示される歌詞に、背景映像を重畳させて表示させる背景映像表示処理を実行することとしてもよい。
【００２９】
一方、リモコン装置１は、予約情報などカラオケ装置２に対して各種指示を送信するとともに、カラオケ装置２あるいはインターネット上に接続されたホスト装置５から各種情報を受信する。本実施形態では、ユーザインターフェイスとしてボタンなどの操作部１７と、タッチパネルモニタ１１を備えている。タッチパネルモニタ１１は、表示部１１ａとタッチパネル１１ｂを有して構成され、表示部１１ａに各種インターフェイスを表示するとともに、ユーザからのタッチ入力を受付可能としている。
【００３０】
さらにリモコン装置１は、楽曲検索に必要とされるデータベース、各種プログラム、並びに、プログラム実行に伴って発生する各種情報を記憶するリモコン側記憶手段としてメモリ１４、そして、これら構成を統括して制御するためのリモコン側制御手段を備えて構成される。リモコン側制御手段には、ＣＰＵにて構成される制御部１５、表示部１１ａに対して表示する映像を形成する映像制御部１３、表示する映像情報を一時的に蓄えるビデオＲＡＭ１２、操作部１７からの入力を解釈して制御部１５に伝達する操作処理部１８が含まれている。
【００３１】
リモコン装置１は、無線ＬＡＮ通信部１６によって、アクセスポイント１１０と無線接続されることで、ＬＡＮ１００によって構成されるネットワークに接続される。なお、各リモコン装置１は、特定のカラオケ装置２に対して事前に対応付けされている。リモコン装置１から出力される各種命令は、対応付けされたカラオケ装置２にて受信されることとなる。
【００３２】
本実施形態のリモコン装置は、ユーザが所持するスマートフォン等の携帯端末６とカラオケ装置２を対応付けるための、音響制御部８１とスピーカ８２を有する音響出力系を備えている。音響制御部８１は、ＣＰＵ１５の制御に基づき、カラオケ装置２がホスト装置５から受信した認証情報を含んだ音響信号をスピーカ８２から出力する音響信号出力処理を実行可能としている。
【００３３】
次に、本発明においてユーザが所持する携帯端末６（本発明における「携帯型情報処理装置」）について説明する。図２は、本発明の実施形態に係る携帯端末６の構成を示す図である。この携帯端末６としては、スマートフォン、タブレット端末、携帯電話等を使用することが可能である。この携帯端末６に、本発明に係るプログラム（アプリ）をインストールし、プログラム上において対応付け処理を実行することで、携帯端末６をカラオケ装置２のリモコンとして使用することが可能となる。
【００３４】
本実施形態の携帯端末６は、制御部６１、ＲＡＭ６２、記憶部６３、画像処理部６４、音響処理部６６を含んで構成された制御手段を有している。記憶部６３には、ハードディスク、ＳＳＤ等の不揮発性の記憶手段を採用することが可能である。この記憶部６３には、本実施形態における投稿処理を実行可能なプログラム、そして、当該プログラムで使用する各種データが記憶される。
【００３５】
制御部６１は、ＣＰＵ等、携帯端末６全体を統括して制御する手段であり、記憶部６３に記憶されたプログラム、データに基づいて各種制御を実行する。ＲＡＭ６２には、制御部６１の制御によって生成されたデータを一時的に格納する。
【００３６】
音響処理部６６は、携帯端末６の音響関係の入出力を行う手段である。制御部６１の制御によりスピーカ６７ａに放音させる手段である。また、音響処理部６６は、マイクロホン６７ｂと接続され、マイクロホン６７ｂから周囲の音声を取り込み可能としている。
【００３７】
タッチパネル表示部６８は、画像を表示する表示部６８ｂとその表面あるいは裏面に配設されるタッチパネル６８ａを有して構成されている。タッチパネル６８ａには、静電容量方式などユーザのタッチ位置を認識可能とする各種タイプを採用することが可能である。制御部６１は、表示部６８ｂに表示を行うとともに、タッチパネル６８ａからのタッチ入力にて、表示させている画像中のどの部分にタッチ入力されたかを判定することが可能である。
【００３８】
画像処理部６４は、携帯端末６の画像関係の入出力を行う手段である。画像処理部６４は、制御部６１で形成された画像情報を表示部６８ｂに表示出力する。また画像処理部６４は、携帯端末６の前面（タッチパネル表示部６８側）に配置されたフロントカメラ６５Ｆ、もしくは、携帯端末６の背面に配置されたリアカメラ６５Ｒから画像を取り込む機能を有する。
【００３９】
通信部６９は、携帯無線網を介した無線通信を行うことが可能であり、無線基地局と無線通信することで、通話、あるいは、インターネットを使用した通信を行うことが可能である。携帯端末６はインターネット上のサーバから投稿処理を実行可能なプログラムを含む各種プログラム（「アプリ」とも呼ばれる）をダウンロードすることが可能である。なお、プログラムは、通信回線を利用した形態以外に、外部メモリ接続端子７２に接続された外部メモリＥＸからインストールすることとしてもよい。通信部６９には、無線ＬＡＮ通信手段、あるいは、近距離通信手段（赤外線通信、Ｂｌｕｅｔｏｏｔｈ（商標）など）の近距離通信手段をさらに設けることとしてもよい。
【００４０】
本実施形態の携帯端末６は、入力手段としてタッチパネル６８ａ以外に入力スイッチ７０を備えて構成されている。この入力スイッチ７０には、電源スイッチ、音量調整スイッチ、実行するプログラムによって入力用途が変更されるスイッチ等、各種スイッチを設けることが可能である。
【００４１】
本実施形態の携帯端末６は、カラオケ業者が提供するプログラムをインストール、実行することで、携帯端末６と操作対象となるカラオケ装置２とを対応付け、携帯端末６からカラオケ装置２に対して楽曲の予約コマンド等、各種コマンドを送信することを可能としている。
【００４２】
図１で説明したカラオケ店舗に設置されるカラオケシステムにおいて、カラオケ店舗に来店したユーザは、自己の所持する携帯端末６を使用対象となるカラオケ装置２のリモコンとして機能させることとしている。そのため、カラオケシステムは、カラオケシステム音響信号出力処理を実行することとしている。音響信号出力処理は、カラオケシステムに割り当てられた認証情報を含んだ音響信号をカラオケシステムのスピーカから放音出力する処理であり、ユーザが所持する携帯端末６とカラオケ装置２を対応付けるために実行する処理である。本実施形態では、カラオケシステム中、リモコン装置１のスピーカ８２から放音出力することとしている。リモコン装置１は、比較的ユーザに近い場所で使用されることが多いため、ユーザは自己の所持する携帯端末６を容易にリモコン装置１に近づけることで、携帯端末６に音響信号を聴取させることが可能である。また、リモコン装置１と携帯端末６との間の距離も近接させることが可能であるため、音響信号の出力音を小音量に抑えることが可能である。音響信号出力処理は、このようにリモコン装置１で行う形態のみならず、カラオケ装置２で実行し、カラオケ装置２に接続されたスピーカ４２から放音出力する形態を採用することも可能である。
【００４３】
携帯端末６をカラオケ装置２のリモコンとして機能させるための各種処理について説明を行う。図５には、カラオケ管理システムにおける認証テーブル更新処理を示すフロー図が示されている。なお、本発明でいうカラオケ管理システムは、カラオケシステム（カラオケ装置２を少なくとも含む）とホスト装置５を含んで構成されており、ユーザが所持する携帯端末６はカラオケ管理システムに含まれない。また、図８には、認証テーブル更新処理を示す模式図が示されている。本実施形態では、ホスト装置５で生成した認証情報を使用することとしている。カラオケ装置２は、認証情報要求のタイミングであると判定した場合（Ｓ１０１：Ｙｅｓ）、ホスト装置５に対してカラオケ装置２に個別に割り当てられているカラオケ装置ＩＤを含む認証情報要求をホスト装置５に送信する認証情報要求処理（Ｓ１０２）を実行する。
【００４４】
認証情報要求のタイミングは、カラオケシステム（リモコン装置１あるいはカラオケ装置２）に対する操作に基づいて実行することが考えられる。例えば、カラオケボックスでは、顧客の退店後、従業員がカラオケシステムに対する認証情報要求操作を行うことが考えられる。このような形態では、顧客の使用後、認証情報が変更されるため、従前に使用していた顧客の携帯端末６は、そのリモコン機能が使用できない状態となる。したがって、退店した顧客によるリモコン操作を無効とし、カラオケ装置２に対する不適切な遠隔操作を無効とすることが可能となる。認証情報要求のタイミングは、このようにユーザの操作による形態のみならず、所定時間毎に自動で行う等、適宜形態を採用することが可能である。
【００４５】
ホスト装置５は、認証情報要求を受信した後、認証情報要求に含まれているカラオケ装置ＩＤ（カラオケ装置Ａ）に対応する認証情報を生成する（Ｓ２０１）。そして、ホスト装置５は、新たに生成した認証情報に基づいて、記憶部５１に記憶している認証テーブルを更新する（Ｓ２０２）。図８の場合、従前、カラオケ装置Ａに対応して認証情報Ａ１を記憶していたが、ホスト装置５は、今回の認証情報要求によって認証情報Ａ２を新たに生成し、カラオケ装置Ａに対応付けて記憶する。
【００４６】
ホスト装置５は、認証情報要求を送信してきたカラオケ装置２に対して、新たに生成した認証情報（認証情報Ａ２）を受信する（Ｓ１０３）。カラオケシステムは、受信した認証情報に基づいて音響信号出力処理（Ｓ１０４）を実行する。図９には、認証テーブル更新処理の一部が模式図にて示されている。ホスト装置５は、認証情報要求のあったカラオケ装置２に対して認証情報（認証情報Ａ２）を送信する。認証情報を受信したカラオケ装置２は、当該カラオケ装置２に対応付けられているリモコン装置１に認証情報を転送する。リモコン装置１は、受信した認証情報に基づいて音響信号出力処理（Ｓ１０４）を実行する。図９の場合、リモコン装置１にて放音する音響信号には、カラオケ装置２にて受信した認証情報（認証情報Ａ２）が含まれている。
【００４７】
音響信号出力処理（Ｓ１０４）で放音する音響信号は、カラオケ装置２に割り当てられている認証情報を音波に変調した信号であって、超音波等、人間の聞こえない、もしくは聞き取りにくい周波数帯域に設定することが好ましい。このような周波数帯域に設定することで、歌唱を楽しむことを目的としたカラオケ装置２の使用において雑音源となることがなく、また、携帯端末６側において周囲の雑音から音響信号を取得しやすくすることが可能となる。
【００４８】
音響信号出力処理（Ｓ１０４）は、適宜タイミングで実行することが可能である。音響信号出力処理（Ｓ１０４）は、常時、リモコン装置１にて実行することとしてもよいが、上述したように、音響信号を使用する周波数帯域によっては雑音現になる場合がある。したがって、各種条件を契機として、所定期間の間、音響信号出力処理（Ｓ１０４）を実行することが考えられる。音響信号出力処理（Ｓ１０４）を実行する条件例を下記に記載する。
【００４９】
（１）会員ユーザをログインさせるログイン処理の実行を契機とする場合。
本実施形態では、ユーザに、カラオケ装置や、携帯端末アプリへのログインを行わせることなく、すなわち、カラオケサービスへの会員登録を必要とすることなく、携帯端末６にアプリをダウンロードさえすれば、非会員ユーザ（以下、ゲストユーザ）でも、個人の携帯端末６とカラオケ装置２を対応付けることを可能としているが、カラオケ店舗の部屋に同席するユーザの中には、既にカラオケサービスに会員登録しているユーザ（以下、会員ユーザ）も存在する。会員ユーザは通常、各種会員サービス（例えば、十八番登録曲の利用）を利用するためにログインするのが通常である。そこで、リモコン装置１が会員ユーザのログイン要求を受付け、該会員ユーザをログインさせるログイン処理の実行を契機として、音響信号出力処理（Ｓ１０４）を実行することとする。この場合、会員ユーザがログインしたタイミングでの所定時間内での音響信号出力となるため、出力期間を抑制することが可能となる。
【００５０】
（２）音響信号出力処理を指定した操作を契機とする場合。
本実施形態では、ユーザは予めカラオケ装置２に対応付いているリモコン装置１を使用して各種操作を実行することが可能としているが、リモコン装置１に対する操作を契機として音響信号出力処理（Ｓ１０４）を実行してもよい。例えば、該リモコン装置１には、図３に示すように「携帯端末リモコン  携帯端末を近づけてください」と表記されている。この表記のある部分を操作可能なアイコンとし、本アイコンを指定する操作の受付けを契機として音響信号出力処理（Ｓ１０４）を実行することとする。この場合は、ゲストユーザの所望するタイミングのみでの音響信号出力となるため、出力期間を抑制することが可能となる。（３）リモコン装置１を操作中であることの判定を契機とする場合。
本実施形態では、リモコン装置１を使用して各種操作を実行することが可能であるが、常時音響信号を出力しているのではなく、リモコン装置１が、選曲操作等の何らかの操作を受付けたことを契機として音響信号出力処理（Ｓ１０４）を開始してもよい。したがって、リモコン装置１を使用していない期間には、音響信号出力処理（Ｓ１０４）は停止することとなり、音響信号の出力期間を抑制することが可能となる。
【００５１】
（４）リモコン装置１の最初の操作を受付けたことを契機とする場合。
本実施形態では、リモコン装置１を使用して各種操作を実行することが可能であり、カラオケ店舗の部屋内に入ったユーザは、まず、リモコン装置１を手に取り、楽曲の選曲や、各種キャンペーン情報を閲覧することになる。そこで、リモコン装置１が、最初の操作を受付けたタイミングを契機として音響信号出力処理（Ｓ１０４）を実行することとする。ここで、「最初の操作」とは、通常、一のグループがカラオケ利用を終了してカラオケ店舗を退店した場合に、図７のようなリセット操作（Ｓ１１１）をカラオケ店舗の従業員が行うため、そのリセット操作を受付けてから、次に受付けた操作が「最初の操作」となる。通常、この最初の操作の受付けは、次のグループが部屋に入ってきたときの操作にあたるため、部屋に入ってきてから所定期間、音響信号出力を行うため、出力期間を抑制することが可能となる。
【００５２】
（５）近接センサにて携帯端末６の近接を判定した場合。
本実施形態では、リモコン装置１のスピーカ８２から音響信号出力することとしているため、携帯端末６に音響信号を聴取させるためには、スピーカ８２と携帯端末６は近接させることが好ましい。したがって、リモコン装置１と携帯端末６が近接したと判定した場合に音響信号を出力することとしてもよい。このような形態では、スピーカ８２と携帯端末６間の距離を近接させた状態で音響信号を出力するとともに、音響信号の出力期間を抑制することが可能となる。ここで、携帯端末６は、金属の部品を使用することが一般的であるため、近接センサとしては、金属センサを使用して、リモコン装置１に対する携帯端末６の近接を判定することが考えられる。近接センサとしては、他に、リモコン装置１にカメラを設け、カメラで撮像した画像を認識することで、携帯端末６の近接を判定することとしてもよい。
【００５３】
（１）から（５）の何れの場合においても、音響信号出力処理（Ｓ１０４）は、所定期間の間、実行されることになるため、常時、音響信号を放音出力する場合と比較して、音響信号の出力期間を抑制することが可能となる。したがって、バッテリーで駆動するリモコン装置１の消費電力を抑えることも可能となる。
【００５４】
図３は、アクティブユーザトップ画面であって、ユーザがログインした直後の状態が示されている。この画面に示されるように、複数人がログインした状態ではログインユーザ欄１０３にログインしたユーザの分身像１０３ａ〜１０３ｅ（本実施形態では顔部分）が表示される。またログインユーザ欄１０３中、右端に背景がハイライト（白色）で示されるユーザは、アクティブユーザ１０３ｅ（Ａさん）であって、図に示す状態では、このアクティブユーザ１０３ｅに対するサービス、すなわち、アクティブユーザ１０３ｅのユーザ情報を利用したサービスが実行されている状態となっている。このアクティブユーザトップ画面では、「曲を探す」を選択することで、歌手名、楽曲名に基づく検索を行うことができる。
【００５５】
本実施形態のアクティブユーザトップ画面の右上には、携帯端末６をカラオケ装置２のリモコンとして使用するためのメッセージが表示されている。カラオケサービスの会員ではない、ゲストユーザは、携帯端末６において、プログラム（アプリ）を起動し、携帯端末６をリモコン装置１に近づけることで、リモコン装置１のスピーカ８２から放音される音響信号を、携帯端末６のマイクロホン６７ｂにて受信し、音響信号に含まれる認証情報を取得する。本実施形態では、会員ユーザがログインしたことを契機として所定期間、音響信号出力処理（Ｓ１０４）を実行することとしている（上述する（１）の形態）。音響信号出力処理（Ｓ１０４）の実行タイミングは、上述する（２）〜（５）の形態に代える、あるいは、併用することも可能である。あるいは、カラオケシステムが起動している期間、常時実行することとしてもよい。
【００５６】
図６には、音響出力信号を受信した携帯端末６の処理が記載されている。また、図９には、音響信号出力処理（Ｓ１０４）の一部が模式図にて示されている。リモコン装置１のスピーカ８２から放音された音響信号は、携帯端末６のマイクロホン６７ｂに入力される。音響信号には認証情報（認証情報Ａ２）が含まれており、携帯端末６は、音響信号を受信した場合（Ｓ３０１：Ｙｅｓ）、音響信号を解析して抽出した認証情報（認証情報Ａ２）をＲＡＭ６２等の記憶手段に記憶する（Ｓ３０２）。携帯端末６は、記憶した認証情報をホスト装置５に送信する（Ｓ３０３）。
【００５７】
ホスト装置５は、携帯端末６から認証情報を受信する（Ｓ２１１）と、ゲストユーザＩＤ（ゲストユーザＡ）を生成する（Ｓ２１２）。ゲストユーザＩＤは、携帯端末６毎に割り当てられた識別情報である。そして、ホスト装置５は、認証テーブルを参照し、携帯端末６から受信した認証情報（認証情報Ａ２）に対応するカラオケ装置ＩＤ（カラオケ装置Ａ）を判定する。次に、ホスト装置５は、ゲストユーザＩＤ（ゲストユーザＡ）とカラオケ装置ＩＤ（カラオケ装置Ａ）とを対応付けて、記憶部５１に記憶する対応付けテーブルに登録する（Ｓ２１３）。ホスト装置５は、生成したゲストユーザＩＤ（ゲストユーザＡ）を、認証情報を送信した携帯端末６に送信する（Ｓ２１３）。なお、ゲストユーザＩＤは、携帯端末６毎ではなく、携帯端末６にインストールされたアプリ毎にユニークに割り当てられても良い。この場合、携帯端末６から、アプリがアンインストールされ、再び、インストールした場合には、別のゲストユーザＩＤが割り当てられることとなる。
【００５８】
図１０には、ホスト装置５からゲストユーザＩＤを受信する携帯端末６の様子が模式的に示されている。ホスト装置５は、認証情報を送信してきた携帯端末６に対し、携帯電話網を介してゲストユーザＩＤ（ゲストユーザＡ）を送信する（Ｓ２１３）。携帯端末６は、ホスト装置５の送信したゲストユーザＩＤ（ゲストユーザＡ）を受信し（Ｓ３０４）、ＲＡＭ６２等の記憶手段に記憶する（Ｓ３０５）。以上の処理によって、携帯端末６とカラオケ装置２の対応付けが完了する。ホスト装置５は、対応付けテーブルを参照することで、ゲストユーザＩＤの割り当てられている携帯端末６に対して対応付けられているカラオケ装置Ａを判定することが可能であり、携帯端末６から送信された各種コマンドを、それに対応付けられているカラオケ装置２に転送することが可能となる。
【００５９】
ホスト装置５は、この対応付けテーブルに基づき、ゲストユーザＩＤに対応するカラオケ装置２を識別することが可能となる。対応付け処理の完了後、携帯端末５は、リモコン装置１と同様、対応付けられたカラオケ装置２のリモコンとして機能することが可能となる。図４には、携帯端末６のタッチパネル表示部６８に表示される楽曲確認画面が示されている。楽曲確認画面は、ユーザにより指定された楽曲名、歌手名等に基づいて指定された楽曲の詳細を示す画面であり、ユーザは楽曲確認画面にて楽曲を予約することが可能である。楽曲確認画面には、歌手名、曲名、歌い出し、楽曲に関するサムネイル画像といった楽曲関連情報６０１の他、キー設定、曲タイプ設定、投稿機能設定等、楽曲設定情報６０２が表示される。ユーザは、予約ボタン６０３を操作することで、表示されている楽曲を対応付けられたカラオケ装置２に予約することが可能となる。
【００６０】
図１１は、携帯端末６、ホスト装置５、カラオケ装置２間における転送処理を示す模式図である。携帯端末６を所持するユーザは、楽曲確認画面上、予約ボタン６０３をタッチ操作する等の行為によりコマンドを入力する。携帯端末６は、コマンド入力があったことを判定した場合（Ｓ３０６：Ｙｅｓ）、ホスト装置５に対して送信コマンド情報を送信する（Ｓ３０７）。送信コマンド情報には、コマンド入力に対応するコマンド（コマンドＡ）と、携帯端末６に記憶しているゲストユーザＩＤ（ゲストユーザＡ）が含まれている。
【００６１】
ホスト装置５は、対応付けテーブルに基づいて認証処理を実行する（Ｓ２１５）。認証処理は、対応付けテーブル上に、携帯端末６から送られてきた送信コマンド情報内のゲストユーザＩＤ（ゲストユーザＡ）が存在するか否かを判定することで行われる。対応付けテーブル上に、送信コマンド情報内のゲストユーザＩＤがある場合は、認証できた場合（Ｓ２１６：Ｙｅｓ）であって、その場合、ホスト装置５は、転送対象となるカラオケ装置２に対して転送コマンド情報を送信する（Ｓ２１７）。転送コマンド情報には、送信コマンド情報内のコマンド（コマンドＡ）と、宛先としてのカラオケ装置ＩＤ（カラオケ装置Ａ）が含まれている。転送コマンド情報を受信したカラオケ装置２（カラオケ装置Ａ）は、転送情報に含まれるコマンドに従って処理を実行する。
【００６２】
一方、対応付けテーブル上に、送信コマンド情報内のゲストユーザＩＤがない場合は、認証に失敗した場合（Ｓ２１６：Ｎｏ）であって、その場合、送信コマンド情報を送信してきた携帯端末６に対して、コマンドが転送できないことを示す転送エラー情報を送信する（Ｓ２１７）。携帯端末６は、転送エラー情報を受信した場合（Ｓ３０８：Ｙｅｓ）、タッチパネル表示部６８にエラーメッセージを表示し、ユーザに対してコマンドを転送できない旨を通知する（Ｓ３０９）。
【００６３】
携帯端末６における転送処理（Ｓ３０６〜Ｓ３０９）は、携帯端末６で実行しているプログラムを終了する（Ｓ３１０：Ｙｅｓ）まで、繰り返し実行され、ホスト装置５の対応付けテーブル上に登録されている場合、携帯端末６をカラオケ装置２のリモコンとして機能させることが可能である。
【００６４】
このように本実施形態では、ユーザの所持する携帯端末６をカラオケ店舗内に設置されているカラオケ装置２のリモコンとして機能させることが可能であるが、携帯端末６は、携帯電話網を介してホスト装置５と通信接続しているため、ユーザがカラオケ店舗を退店した後も、ホスト装置５を介してカラオケ装置２に送信コマンド情報を送信することが可能である。このような場合、ホスト装置５が受信した送信コマンド情報に基づいて、転送コマンド情報をカラオケ装置２に転送した場合、カラオケ店舗の外からカラオケ装置２を遠隔制御できることとなる。
【００６５】
本実施形態では、このような不都合を解消するため、ユーザが退店した後、使用後のカラオケシステムについてリセット処理を行うこととしている。図７には、カラオケ管理システムにおけるリセット処理を示すフロー図が示されている。また、図１２には、カラオケ管理システムにおけるリセット処理を示す模式図が示されている。カラオケボックス等のカラオケ店舗では、ユーザが退店した後、カラオケ装置２に対してリセット操作を行う。このリセット操作は、カラオケ装置２のタッチパネルモニタ３３、あるいは、リモコン装置１のタッチパネルモニタ１１等を使用して行うことが可能であるが、パスワードを必要とするメニュー内からの操作とする等、顧客が操作できないようにしておくことが好ましい。
【００６６】
カラオケ装置２においてリセット操作が行われた場合（Ｓ１１１：Ｙｅｓ）、カラオケ装置２は、自己のカラオケ装置ＩＤ（カラオケ装置Ａ）を含んだリセット要求をホスト装置５に送信する。ホスト装置５は、リセット要求を受信（Ｓ２２１）した後、認証テーブル上、リセット要求に含まれるカラオケ装置ＩＤに対応する認証情報を解除（削除）する（Ｓ１１２）。そして、対応付けテーブル上、リセット要求に含まれるカラオケ装置ＩＤに対応するカラオケ装置ＩＤを解除（削除）する（Ｓ２２２）。また、カラオケ装置２では、記憶していた認証情報を削除する（Ｓ１１３）とともに、音響情報出力処理を中止する（Ｓ１１４）。
【００６７】
図１３は、リセット処理を行った後の、携帯端末６とホスト装置５間の通信の様子を模式的に示したものである。携帯端末６にてコマンドを入力し、転送コマンド情報を送信した場合（Ｓ３０７）、ホスト装置５は、送信コマンド情報に基づく認証処理を実行する（Ｓ２１５）。リセット処理を行った後、対応付けテーブルでは、カラオケ装置ＩＤが解除（削除）された状態であるため、ホスト装置５は認証失敗と判断し（Ｓ２１６：Ｎｏ）、携帯端末６に転送エラー情報を送信する。このように本実施形態では、リセット処理を実行することで、退店したユーザによるカラオケ装置２の遠隔操作を防止している。
【００６８】
なお、このリセット処理を行うことに代え、図５で説明した認証テーブル更新処理を行うこととしてもよい。その際、認証テーブル更新処理では、認証テーブル上、新たな認証情報に更新するとともに、対応付けテーブル上のカラオケ装置ＩＤを解除する。退店後に、認証テーブル更新処理を実行することで、カラオケシステムでは音響信号出力処理を開始することが可能となり、次にカラオケシステムを使用する顧客に迅速に対応することが可能となる。リセット処理のリセット要求と、図５で説明した認証テーブル更新処理の認証情報要求は、認証情報を初期化する（従前の認証情報を削除、もしくは、更新する）ものであるため、どちらも初期化要求ということができる。
【００６９】
以上、本実施形態のカラオケ管理システムによれば、ユーザが所持する携帯端末６で、カラオケシステムから放音された音響信号を受波させるという簡単な操作で、認証情報を携帯端末６に記憶させ、当該カラオケ装置２を遠隔操作することが可能となる。本実施形態では、カラオケシステム内のリモコン装置１において音響信号出力処理を実行することとしているが、音響信号出力処理は、他の機器によって実行することも可能である。
【００７０】
図１４、図１５は、他の実施形態に係る他の実施形態のカラオケ管理システムにおける対応付け処理を示した図であって、前述した実施形態の図９の処理に対応する図である。図１４に示す実施形態では、カラオケシステム中、カラオケ装置２において音響信号出力処理を実行する。カラオケ装置２は、認証情報（認証情報Ａ２）を含んだ音響信号をスピーカ４２から放音出力する。音響信号出力処理のタイミングは、前述の実施形態と同様、（１）〜（４）の形態、あるいは、カラオケ装置２が認証情報を記憶している期間、常時実行する等、適宜形態を採用することが可能である。スピーカ４２から放音出力された音響信号を受波した携帯端末６は、認証情報（認証情報Ａ２）を含んだ認証情報要求をホスト装置５に送信する。その後に実行される転送処理、リセット処理等は、前述した実施形態と同様である。
【００７１】
図１５に示す実施形態は、カラオケ装置２と既に対応付けが完了している携帯端末６ａにて従音響信号出力処理を実行する形態である。従音響信号出力処理は、リモコン装置１等、カラオケシステム側で実行する音響信号出力処理と同じ音響信号を放音する処理であるが、カラオケシステム側での音響信号出力処理と分けるため、頭に「従」の文字を付している。携帯端末６ａは、カラオケ業者が提供したプログラム（アプリ）を起動した状態であって、図９あるいは図１４等で説明した各種対応付け処理でカラオケ装置２と対応付けられ、カラオケ装置２にコマンドを送信可能な状態となっている。よって、携帯端末６ａは、認証情報（認証情報Ａ２）を受信、記憶しており、携帯端末６ａは、従音響信号出力処理を実行することで、認証情報（認証情報Ａ２）を含んだ音響信号をスピーカ６７ａから放音出力する。新たにカラオケ装置２と対応付けられる携帯端末６ｂは、携帯端末６ａが放音出力した音響信号を受波し、認証情報（認証情報Ａ２）を含んだ認証情報要求をホスト装置５に送信する。
【００７２】
以下に、携帯端末６ａが、従音響信号出力処理を実行する条件例を記載する。
（１）携帯端末６ａが音響信号を受信して認証情報を抽出したことを契機とする場合。
携帯端末６ａが、図６の認証情報を抽出（Ｓ３０２）した場合に、認証情報を送信（Ｓ３０３）する処理と並行して、または、認証情報の送信処理が完了してから、所定時間、従音響信号出力処理にて認証情報を含んだ音響信号を出力することとする。これにより、カラオケ店舗の部屋内の座る位置などによって、カラオケシステムからの音響信号をマイクロホンから取得しにくいゲストユーザでも、容易に認証情報を取得することができる。
（２）携帯端末６ａが従音響信号処理の実行を受付けたことを契機とする場合。
携帯端末６ａが、認証情報を抽出（Ｓ３０２）した場合に、図４の携帯端末６ａのタッチパネル表示部に、新たに「認証情報送信」アイコンが表示されることとしても良い。携帯端末６ａのユーザによるアイコンへの接触を受付けると、携帯端末６ａが従音響信号出力処理を実行することで、携帯端末６ａのユーザの意思に応じて、任意のユーザに認証情報を送信することができる。
（３）携帯端末６ａが近接センサにて携帯端末６ｂの近接を判断した場合。
携帯端末６ａが、認証情報を抽出（Ｓ３０２）後、携帯端末６ｂが所定の範囲内に近接した場合に従音響信号出力処理を実行することとしても良い。携帯端末６は、金属の部品を使用することが一般的であるため、近接センサとしては、金属センサを使用して、携帯端末６ａに対する携帯端末６ｂの近接を判定することが考えられる。近接センサとしては、他に、リモコン装置１にカメラを設け、カメラで撮像した画像を認識することで、携帯端末６ｂの近接を判定することとする。これにより、ゲストユーザとしてカラオケシステムを利用したい携帯端末６ｂのユーザの意思により、認識情報を取得することができる。
（４）携帯端末６ａの加速度センサが所定の加速度値を判断した場合。
携帯端末６ａが、認証情報を抽出（Ｓ３０２）したのち、携帯端末６ａに予め搭載されている加速度センサが、携帯端末自身の加速度値を検出し、加速度値が所定の閾値を超えた場合、すなわち、携帯端末６ａがユーザの意思によって振られたと判断した場合に、従音響信号出力処理を実行することとする。これにより、携帯端末６ａのユーザの意思に応じて、任意のユーザに認証情報を送信することができる。
【００７３】
このような実施形態では、既に対応付け処理を終えた携帯端末６ａを使用して、他のユーザの所持する携帯端末６ｂに、カラオケシステムに登録されている認証情報を伝達することが可能となる。したがって、リモコン装置１やカラオケ装置２等のカラオケシステムを使用することなく、例えば、隣に座っているユーザの携帯端末６ａを使用して容易にカラオケ装置２と自己の所持する携帯端末６ｂとの対応付けを行うことが可能となる。また、今回、音響信号を受波した携帯端末６ｂでも同じプログラムを使用して、同じ状況下における別の携帯端末（例えば、６ｃ）に、認証情報を伝達することが可能である。したがって、本実施形態によれば、複数の携帯端末６間において、認証情報を連鎖的に伝達することが可能となる。
【００７４】
また、上述した各種実施形態では、ホスト装置５にて記憶管理する対応付けテーブルを使用することとしているが、対応付けテーブルを使用しない形態も考えられる。その場合、ホスト装置５では、ゲストＩＤを生成する必要はない。携帯端末６は、音響信号に含まれる認証情報を受信し、ＲＡＭ６２等の記憶手段に記憶する。その後、携帯端末６にコマンド入力が行われた場合、携帯端末６は、送信コマンド情報として、記憶する認証情報にコマンドを対応付けてホスト装置５に送信する。ホスト装置５は、認証テーブルを参照し、受信した送信コマンド情報に含まれる認証情報に対応づけられているカラオケ装置ＩＤを判定し、当該カラオケ装置ＩＤに対応するカラオケ装置２に転送コマンド情報を転送する。
【００７５】
このような実施形態では、各送信コマンド情報に認証情報が含まれることになる。認証情報は、認証精度の向上を図る場合、容量が大きくなることが考えられる。したがって、各送信コマンド情報に認証情報を含ませた場合、通信容量が増大するとともに、ホスト装置５では、送信コマンド情報を受信する度に認証情報を使用した認証処理を実行する必要がある。したがって、通信容量の削減、並びに、ホスト装置５における負荷の削減を図るためには、対応付けテーブルを使用する形態が好ましい。
【符号の説明】
【００７６】
１ａ、１ｂ…リモコン装置                   ５…ホスト装置
１１…タッチパネルモニタ                   ５１…記憶装置
１１ａ…表示部                             ６…携帯端末（携帯型情報処理装置）
１１ｂ…タッチパネル                       ６１…制御部
１２…ビデオＲＡＭ                         ６２…ＲＡＭ
１３…映像制御部                           ６３…記憶部
１４…メモリ                               ６４…画像制御部
１５…ＣＰＵ                               ６５Ｆ…フロントカメラ
１６…無線ＬＡＮ通信部                     ６５Ｒ…リアカメラ
１７…操作部                               ６６…音響処理部
１８…操作処理部                           ６７ａ…スピーカ
１９…赤外線通信部                         ６７ｂ…マイクロホン
２…カラオケ装置（コマンダ）               ６８…タッチパネル表示部
２１…操作部                               ６８ａ…タッチパネル
２２…操作処理部                           ６８ｂ…表示部
２３…赤外線通信部                         ６９…通信部
２４…ＬＡＮ通信部                         ７０…入力スイッチ
２５…音響制御部                           ７１…外部入力端子
２７…メモリ                               ４１…モニタ
２８…ビデオＲＡＭ                         ７２…外部メモリ接続端子
２９…映像再生部                           ８１…音響制御部
３０…制御部                               ８２…スピーカ
３１…映像制御部                           １００…ＬＡＮ
３２…ＨＤＤ（ハードディスク）             １１０…アクセスポイント
４２…スピーカ                             １２０…ルータ
４４ａ、４４ｂ…歌唱用マイク（マイクロホン）
【図１】
0006257040.tif 000002
【図２】
0006257040.tif 000003
【図３】
0006257040.tif 000004
【図４】
0006257040.tif 000005
【図５】
0006257040.tif 000006
【図６】
0006257040.tif 000007
【図７】
0006257040.tif 000008
【図８】
0006257040.tif 000009
【図９】
0006257040.tif 000010
【図１０】
0006257040.tif 000011
【図１１】
0006257040.tif 000012
【図１２】
0006257040.tif 000013
【図１３】
0006257040.tif 000014
【図１４】
0006257040.tif 000015
【図１５】
0006257040.tif 000016